(57)【特許請求の範囲】
【請求項１】
ベルと連通した略Ｕ字状の一番管と、該一番管と連通し、マウスピースへ吹き込まれた息がネックを介して流入する二番管と、を備えたサクソフォーンにおいて、
上記マウスピースと上記一番管との間に上記息中の水分を上記一番管側へ案内する水案内手段が備えられ、
該水案内手段は、上記二番管の正面側内壁面に該二番管の長手方向に延びるように設けられた溝又は筋状突部を有し、上記二番管内部でトーンホールの開口とは異なる位置を通して上記水分を流下させることを特徴とする、サクソフォーン。
【請求項２】
前記筋状突部は前記二番管の内壁面上に固定された長尺部材からなり、前記二番管の正面側内壁面に該二番管の中心軸に沿って延びる正面領域が設けられ、該正面領域を挟んで一方側にhighＦ、highＥ♭及びhighＤのトーンホールが配置され、他方側にＢ，Ｇ及びＧ♯のトーンホールが配置され、前記長尺部材が前記highＦのトーンホールの側方上側の前記正面領域から少なくとも前記Ｇ♯のトーンホールの側方下側の前記正面領域まで設けられている、請求項１に記載のサクソフォーン。
【請求項３】
前記ネックの前記二番管との接合部位に、該ネックの内壁面に付着した水分を前記溝又は筋状突部に対応する流下位置まで案内するように、周方向に傾斜した切り欠き形状の段差及び流下端部を備えた、請求項１または２に記載のサクソフォーン。
【発明の詳細な説明】
【技術分野】
【０００１】
本発明は、ベルと連通した略Ｕ字状の一番管を備えたサクソフォーンに関する。
【背景技術】
【０００２】
カーブドソプラノサクソフォーン、アルトサクソフォーン、テナーサクソフォーンなどのサクソフォーンは、ベルと連通した略Ｕ字状の一番管と、一番管と連通し、マウスピースへ吹き込まれた息がネックを介して流入する二番管とを備えている。【０００３】
サクソフォーンでは、マウスピースへ息を吹き込みつつ多数の指貝やレバーを操作することで、二番管や一番管に多数設けられているトーンホールを開閉して所望の楽曲が演奏される。このようなサクソフォーンでは、マウスピースが演奏者側に配置されると共にベルが前方側に配置され、二番管が鉛直方向よりネック側が若干前方に傾斜して配置された状態で、長時間演奏されることが多い。【０００４】
演奏時には、リードからマウスピースへ吹き込まれた息はネックを経由して二番管に流入する。息には水蒸気が含まれているため、吹き込まれた息はサクソフォーン内で凝縮して水が生成される。凝縮した水分や唾液（以下、これらを纏めて、適宜、水又は水分と称する。）は、一番管に徐々に溜まるため、演奏途中や演奏後に、例えば楽器を傾けてベルから排出する。
【発明の概要】
【発明が解決しようとする課題】
【０００５】
しかしながら、マウスピースやネック、或いは二番管の上部で凝縮した水分は、水滴となって二番管の内壁面に付着して重力により流下する。この水が二番管のトーンホールの開口に到達すると、トーンホールの開口が開放或いは半開放された際、二番管の外側に漏出する。【０００６】
例えばトーンホールの開口やその付近に水滴が存在したり、滞留した状態で、トーンホールが開放或いは半解放することで、トーンホールから噴出される気流と共に水が外部に噴出する。特に、二番管のネック側における前方側に設けられたhigh Ｆ、highＥ♭、highＤのトーンホールでは、例えば吹き込まれた息により水滴が前方側へ移動し易いこともあって水が漏出し易い。【０００７】
凝縮した水分がサクソフォーンの外側に流出すると、例えば、指貝やレバー等が濡れて、サクソフォーンを支持する手や指が滑り易くなったり、演奏者の衣服を濡らしたりするなど、演奏環境を悪化させる。【０００８】
凝縮した水分がトーンホールを開閉するタンポに付着することで、タンポが劣化したり、タンポがトーンホールに粘着することがある。タンポがトーンホールに粘着すると、開く方向に付勢されていて指貝やレバーの操作時に付勢力により開口されるタンポでは、指貝やレバーを操作してもタンポが付着したままでトーンホールが開かないというような、演奏の障害が生じる。しかもサクソフォーンの外表面側では水分による汚れが生じたり、メッキの劣化が生じたり、錆を生じたりする。【０００９】
そのためメンテナンスの回数が増加したり、タンポや楽器自体の寿命が短くなるなど、サクソフォーンの耐久性が低下する。なによりも凝縮した水分がサクソフォーンの外側に流出することにより、演奏者に対する精神的なストレスが非常に大きい。
このような水分の漏出の問題はサクソフォーンに限らず、他の管楽器でも同様に生じることがある。【００１０】
そこで、本発明は、使用中にマウスピース、ネック及び管体の上部などから流下する水分がトーンホールから外側に漏出することを抑制できるサクソフォーンを提供することを目的とする。
【課題を解決するための手段】
【００１１】
上記目的を達成するサクソフォーンは、ベルと連通した略Ｕ字状の一番管と、一番管と連通し、マウスピースへ吹き込まれた息がネックを介して流入する二番管とを備えることに加え、息の水分を一番管側へ案内する水案内手段をマウスピースと一番管との間に備え、水案内手段は、二番管の正面側内壁面に二番管の長手方向に延びるように設けられた溝又は筋状突部を有し、二番管内部でトーンホールの開口とは異なる位置を通して水分を流下させることを特徴としている。
【発明の効果】
【００１５】
本発明のサクソフォーンによれば、吹き込まれた息中の水分を案内する水案内手段を備えている。そのため使用中にマウスピースに吹き込まれた息の水蒸気が凝縮した水分を、水案内手段によりトーンホールの開口とは異なる位置を通して流下させることができ、トーンホールの開口に到達する水分を抑制することができる。従って使用中にトーンホールの開口を通して外側に水分が漏出することを抑制又は防止可能である。
【図面の簡単な説明】
【００１７】
【図１】本発明の実施形態に係るサクソフォーンの概略側面図である。
【図２】実施形態に係るサクソフォーンの概略正面図である。
【図３】実施形態のサクソフォーンに係る二番管の部分縦断面図である。
【図４】（ａ）は第１実施形態に係る水漏出防止具の装着前を示す正面図、（ｂ）はその水漏出防止具の斜視図、（ｃ）はその水漏出防止具を装着したサクソフォーンを展開した状態を示す図である。
【図５】第２実施形態に係るサクソフォーンの部分縦断面図である。
【図６】第３実施形態に係るサクソフォーンの部分縦断面図である。
【図７】（ａ）乃至（ｄ）は第３実施形態に係るサクソフォーンの変形例を示す部分縦断面図である。
【図８】（ａ）は第４実施形態に係るサクソフォーンの部分縦断面図、（ｂ）は第４実施形態の筒状体の変形例を示す図である。
【図９】（ａ）は第５実施形態に係るサクソフォーンの部分縦断面図、（ｂ）は第５実施形態のサクソフォーンにおいて二番管の一部を展開した状態を示す図である。
【図１０】（ａ）は第６実施形態に係るサクソフォーンの部分縦断面図、（ｂ）は第６実施形態に係るサクソフォーンの二番管の一部を展開した状態を示す図である。
【図１１】第６実施形態に係るサクソフォーンの横断面図である。
【図１２】第６実施形態に係るサクソフォーンの線状部材の取り付け状態を示す部分断面図である。
【図１３】第６実施形態に係るサクソフォーンの変形例を示す横断面図である。
【図１４】（ａ）は第６実施形態に係るサクソフォーンの他の変形例を示す部分縦断面図、（ｂ）は（ａ）の二番管の一部を展開した状態を示す図である。
【図１５】（ａ）は第６実施形態に係るサクソフォーンのさらに他の変形例を示す部分縦断面図、（ｂ）は（ａ）の二番管の一部を展開した状態を示す図である。
【発明を実施するための形態】
【００１８】
以下、図１乃至図１５を参照して本発明の幾つかの実施形態について説明する。
【００１９】
［第１実施形態］
サクソフォーン１０は、図１及び図２に示すように、ベル１１と、ベル１１の下端に接続されてベル１１と連通した略Ｕ字状の一番管１３と、一番管１３のベル１１とは他端側に接続されて一番管１３と連通した略直線テーパ形状の二番管１５と、二番管１５の上端に接続されて略へ字形状に湾曲したネック１７と、ネック１７に接続されてリード１９が装着されたマウスピース２１とを備える。
【００２０】
一番管１３及び二番管１５の側面には、ソルダードタイプ又はドローンタイプの多数のトーンホール２３が図３に示すように開口して設けられている。各トーンホール２３の周壁は一番管１３又は二番管１５の外表面から外側に突出して形成されている。各トーンホール２３は、一番管１３及び二番管１５の周方向における一定向きに設けられているのではなく、操作上及び外観意匠上などの理由で、それぞれ異なる向きに設けられている。
各トーンホール２３のそれぞれに対応する位置には、レバー２５や指貝２７等により操作可能なタンポ２９が装着されており、各トーンホール２３を開放、半開放及び閉塞可能となっている。
【００２１】
図４（ａ）〜（ｃ）は、この実施形態のサクソフォーン用水露出防止具３０を示す。この実施形態に係るサクソフォーン用水露出防止具３０は、ネック１７と二番管１５との接続部位に固定可能な固定部４７と、固定部４７に連結されて、二番管１５内に吊下可能な水案内手段としての吊下部材４９とを有する。
【００２２】
固定部４７は、サクソフォーン１０の内壁面に弾性力により係止可能な樹脂、金属等の弾性板材からなり、例えば縦方向の長さが短く、横幅がネック１７の内周長より長い帯状に形成されている。この固定部４７は円筒状の形状に弾性変形した状態でネック１７の内壁面に配置されている。
吊下部材４９は、例えば引張バネのように、螺旋状に巻回された線状部材５１が３方向にＹ字状に分岐した形状に形成されている。分岐したうちの２方向の線状部材５１は固定部４７の内表面に接するように配置され、例えば各端部及び交点において固定部４７に固定されている。分岐したうちの１方向の線状部材５１の下端部には、線状部材５１を重力により適度に引き延ばして配置するための錘５３が固定されている。錘５３としては、例えばゴムなどからなるものであれば、サクソフォーン１０の内表面の傷を防止できて好適である。
【００２３】
錘５３が固定されていない２本の線状部材５１は、固定部４７の上縁側において互いに離間した２カ所から下方側ほど幅が狭くなるように固定されている。分岐部分より上方の２本の線状部材５１が、下側ほど幅が狭くなるように固定されることで、線状部材５１間の固定部に付着した水分が流下する際、分岐部分に水分を集合させ易くしている。
【００２４】
錘５３が固定されている線状部材５１の下端は、少なくともＢのトーンホール２３ｅより下側、好ましくはＧのトーンホール２３ｆより下側、より好ましくはＧ♯のトーンホール２３ｇより下側となるのが好ましい。Ｂのトーンホール２３ｅ、Ｇのトーンホール２３ｆ、Ｇ♯のトーンホール２３ｇは何れも演奏中に水分の漏出が起こり易いトーンホール２３であり、これらのトーンホール２３より下まで水を案内できれば、水分の漏出を低減又は防止できる。
【００２５】
２方向の線状部材５１の分岐部分は、好ましくは正面中心線Ｌｆ上または、その近傍に配置されることが好適である。
ここで、正面中心線Ｌｆとは、二番管１５にベル１１及び一番管１３やネック１７を接続した状態で、演奏時に正面側となる二番管１５の内表面上の仮想の線である。この正面中心線Ｌｆは、ネック１７のマウスピース２１側における直線からなる中心軸の延長が、二番管１５の前方側の内表面又はその仮想延長面に到達する点を通り、二番管１５の中心軸に沿って略平行となるように二番管１５の長手方向に延びる線である。この正面中心線Ｌｆは、演奏者のサクソフォーン１０の支持状態に応じて多少の差はあるものの、少なくともhighＤのトーンホール２３ｄとＢのトーンホール２３ｅとの間に長手方向に配置されるため、略同一と見なすことができる。
【００２６】
このサクソフォーン用水露出防止具３０をサクソフォーン１０に装着するには、まず、ネック１７を二番管１５から離脱させた状態とする。固定部４７をネック１７の下端側の内径又は二番管１５の上端側の内径より小さい径に縮小し、ネック１７又は二番管１５の内部に挿入する。このとき線状部材５１の分岐部分が正面中心線Ｌｆ上又はその近傍に配置されるようにする。
その後、固定部４７を解放すると、弾性力により外径が拡大し、外表面がネック１７の内壁面又は二番管１５の内表面に弾性力で圧接して固定される。また錘５３及び錘５３が固定された線状部材５１を二番管１５内に挿入し、二番管１５にネック１７を接続することで装着を完了する。
【００２７】
サクソフォーン用水露出防止具３０が装着された状態を図４（ｂ），（ｃ）に示す。図４（ｂ）では、二番管１５を省略して示しており、図４（ｃ）では、二番管１５を展開した状態を示している。図中、二番管１５の左右両縁は実際には連続している。
【００２８】
上記サクソフォーン用水露出防止具３０が装着されたサクソフォーン１０を用いて演奏するには、装着しない状態と何ら異なることなく使用すればよい。演奏時にはリードからマウスピース２１へ息が吹き込まれ、マウスピース２１やネック１７の内部で、息に含まれる水蒸気が凝縮して水滴が生じる。この水分は固定部４７の表面で重力により流下する。すると分岐された線状部材５１により案内されて分岐部分に集まる。この水分が一番管１３側へ吊下されている線状部材５１に付着することで、その線状部材５１を伝わって流下することができる。そのため、水分が二番管１５の上部側のhighＦ♯、highＦ、highＥ♭、highＤのトーンホール２３ａ，２３ｂ，２３ｃ，２３ｄに到達せず、更には二番管１５の左手トーンホール２３に到達せずに、一番管１３側へ流下できる。
なお、二番管１５の内部を流下した水分は一番管１３に徐々に溜まり、演奏途中や演奏後に排出される。
【００２９】
以上のようなサクソフォーン１０によれば、水漏出防止具３０が内部に装着されることで、二番管１５のトーンホール２３の開口以外の位置に配置された水露出防止具３０に息中の水分を付着して流下できる。そのためマウスピース２１へ吹き込まれた水蒸気が凝縮した水分が、大きな水滴となって二番管１５のトーンホール２３の開口に到達するのを抑え又は無くすことができる。
従って、使用中にサクソフォーン１０の内部からトーンホール２３の開口を通して外側に水分が漏出するのを抑制又は防止することが可能である。特に、二番管１５の上端側に設けられているトーンホール２３を開いた際、トーンホール２３から噴出される気流により大きな水滴が一気に流れ出ることを防止できる。
しかも、このように装着していても、サクソフォーン１０の音に対する悪影響はなく、問題なく演奏することが可能である。
【００３０】
上記実施形態は、本発明の範囲内において適宜変更可能である。例えば、上記では水案内手段が二番管１５内に吊下された吊下部材４９のみからなっているが、他の実施形態に係る水案内手段４０と共に用いることも可能である。
上記では、固定部４７に設けられた水集合部を吊下部材４９の２方向の線状部材５１により形成したが、例えば固定部４７に樹脂等により、下側ほど離間幅が狭くなるように内側に突出させて設けた筋状突起により形成することも可能である。
上記では、線状部材５１を、引張バネのように螺旋状に巻回されたものを用いたが、特に限定されるものではなく、巻回されていない線状部材、棒状体、板状体等の長尺部材であっても使用可能である。変形可能であって水分を付着させることが可能な長尺部材であれば、上記と同様に二番管１５内に吊り下げてサクソフォーン用水露出防止具として使用できる。
【００３１】
さらに、上記では水集合部となる線状部材５１の分岐部分を二番管１５のトーンホール２３より上側に設けたが、分岐部分を二番管１５に設けられた上方のトーンホール２３より下側に設けてもよい。その場合、分岐部分までの線状部材５１をそれぞれトーンホール２３に対して異なる側に配置することも可能である。また、１本の線状部材５１の一端側を固定部４７に固定し、他端側に錘５３を固定して構成することも可能である。さらに４方向以上に分岐した線状部材５１を用い、３方向以上の線状部材５１により水集合部を形成することも可能である。
【００３２】
［第２実施形態］
第２実施形態は、水案内手段が設けられたサクソフォーン１０の例を示す。
このサクソフォーン１０では二番管１５の一部又は全てのトーンホール２３がソルダードタイプで形成されている。水案内手段４０は二番管１５の一部又は全てのトーンホール２３にそれぞれ設けられている。例えば、highＦ、highＥ♭、highＤのトーンホール２３ｂ，２３ｃ，２３ｄに設けられていてもよい。
【００３３】
具体的には、図５に示すように、トーンホール２３の各トーンホール周壁５５が二番管１５の内壁面から内側に突出して設けられることで、トーンホール２３の開口周囲を囲む突出壁５７が形成されている。この突出壁５７により水案内手段４０が構成されている。突出壁５７を除く二番管１５の内壁面の一部又は全体が、例えば親水性処理面とされることで、突出壁５７より親水性に形成されていてもよい。
【００３４】
このようなサクソフォーン１０では、使用時にマウスピース２１、ネック１７、二番管１５の上方側で凝縮した水分が二番管１５の内壁を伝って流下する。この水が突出壁５７に到達すると、突出壁５７の外周囲を伝って案内されることで一番管１３側に流下する。そのため、流下した水滴が各トーンホール２３の開口内に流入することを防止でき、各トーンホール２３から外部に漏出する水を抑制し得る。
【００３５】
上記実施形態でも、水案内手段として突出壁５７のみを設けた例について説明したが、他の実施形態に係る水案内手段４０と共に用いることが可能である。
突出壁５７としてトーンホール周壁５５が内側に突出した例について説明したが、内側に突出しないトーンホール周壁５５を有する場合、別部材からなるリング形状の突出壁を二番管１５の内壁面にトーンホール２３の開口を囲むように接合してもよい。その場合、板状に肉厚を薄くすることで僅かな高さの突出壁としてもよく、そのような構成であっても、流下される水分を十分に案内可能である。
【００３６】
［第３実施形態］
この第３実施形態のサクソフォーン１０は、二番管１５の一部又は全てのトーンホール２３に水案内手段４０が設けられている。例えば、highＦ、highＥ♭、highＤのトーンホール２３ｂ，２３ｃ，２３ｄに水案内手段４０を設けてもよい。
【００３７】
水案内手段４０は、図６に示すように、トーンホール２３のトーンホール周壁５５が二番管１５の軸線Ｌｓに対して傾斜して設けられており、各トーンホール２３の頂部側が上部に向くように傾斜している。ここでは、トーンホール２３の頂部周縁は二番管１５の軸線Ｌｓと平行な平面上に形成されており、頂部の開口が楕円形状となっている。
【００３８】
このようなサクソフォーン１０では、使用時に水滴が二番管１５の内壁を伝って流下して、各トーンホール２３の開口まで到達する。すると各トーンホール周壁５５が傾斜しているため、水滴がトーンホール２３内を頂部側に向けて流動することなく、確実に一番管１３側へ案内されて流下することができる。
そのため、流下した水滴が各トーンホール２３の開口内に流入することを防止でき、各トーンホール２３から外部に漏出する水の抑制が可能である。しかも、サクソフォーン１０の音に対する悪影響も防止できる。
【００３９】
なお、上記実施形態でも、水案内手段として傾斜したトーンホール周壁５５のみを設けた例について説明したが、他の実施形態に係る水案内手段４０と共に用いてもよい。例えば、図７（ａ）ではトーンホール２３をソルダードタイプとし、トーンホール２３の頂部側が上部となるように傾斜してトーンホール周壁５５を設けている。ここでは、第２実施形態のように、トーンホール周壁５５を二番管１５の内壁面から内側に突出して設けることで、開口周囲を囲む突出壁５７を形成してもよい。このトーンホール２３では、頂部の周縁が二番管１５の軸線Ｌｓに平行な平面に形成されており、突出部５７の内側端部が尖った形状とならないように周縁が軸線Ｌｓに対して傾斜するように形成されている。
【００４０】
図７（ｂ）に示すように、ソルダードタイプで形成されたトーンホール周壁５５において、二番管１５の内壁面から内側に突出して設けられた突出壁５７の内側端の周縁を二番管１５の軸線Ｌｓに平行な平面に形成してもよい。この例では、頂部及び内側端の開口が楕円形状となっている。
図７（ｃ）に示すように、ソルダードタイプで形成されたトーンホール周壁５５の端部を二番管１５の壁面より内側に突出させることなく、二番管１５の軸線Ｌｓに対して傾斜して設け、頂部側を上部に傾斜させてもよい。
【００４１】
図７（ｄ）に示すように、ソルダードタイプで形成されたトーンホール周壁５５の頂部周縁を、二番管１５の軸線Ｌｓと平行な平面上に形成するのではなく、トーンホール周壁５５と直交する仮想面上に形成してもよい。その場合、レバー２７により支持されたタンポ２９を、トーンホール２３の頂部の向きに一致するように傾斜して設け、トーンホール２３の開口をタンポ２９により開閉することもできる。
このようにすれば、トーンホール２３の頂部の開口が楕円形ではなく、略円形に形成できるため、開閉時の違和感などを抑えることができる。
また、この図７（ｄ）に示すソルダードタイプで形成されたトーンホール周壁５５において、図７（ｃ）に示すトーンホールと同様に、端部を二番管１５の壁面より内側に突出させることなく設けてもよい。
図７（ｅ）に示すように、トーンホール２３の頂部側が下部となるように傾斜してトーンホール周壁５５を設けてもよい。
【００４２】
［第４実施形態］
図８は第４実施形態を示しており、水案内手段が設けられたサクソフォーン１０の例である。この実施形態のサクソフォーン１０は、二番管１５に軸線Ｌｓに対して直交方向に突出して形成されているソルダードタイプ又はドローンタイプのトーンホール２３に対し、水案内手段としての筒状体７１を装着した例である。
【００４３】
図８（ａ）に示す筒状体７１は、タンポ２９が配置されている外側からトーンホール周壁５５内に挿入されて、内表面に略密着した状態で装着されている。外側端部はトーンホール周壁５５の頂部側周縁と嵌合できる形状を呈しており、トーンホール２３の内部に入り込まないようになっている。この筒状体７１の頂部はタンポ２９が当接することで、トーンホール２３を確実に閉塞できるように形成されている。
【００４４】
一方、筒状体７１の長さはトーンホール周壁５５の突出長さより長く形成されており、筒状体７１の端部が二番管１５の内部に突出して配置されている。二番管１５の内側に配置される端部は軸方向に対して斜めに形成されており、二番管１５内に下勾配に傾斜するように装着される。
【００４５】
このような筒状体７１は、二番管１５の全てのトーンホール２３に装着されていてもよく、例えばhighＦ♯、highＦ、highＥ♭及びhighＤのトーンホール２３ａ，２３ｂ，２３ｃ，２３ｄのように水の漏出が起こり易いトーンホール２３に装着されていてもよい。
【００４６】
筒状体７１の材質は特に限定されるものではなく、例えば金属製であってもよいが、装着し易くトーンホール２３の内表面に密着させ易いなどの理由で、樹脂製であってもよい。
【００４７】
このような筒状体７１を装着したサクスフォーン１０であっても、筒状体７１が装着された二番管１５の各トーンホール２３から漏出する水の量を抑制することが可能である。また、サクソフォーン１０の音に対する悪影響も防止できる。
【００４８】
なお、筒状体７１の形状は特に限定されるものではなく、適宜変更可能である。例えば図８（ｂ）に示すように、両端縁が何れも軸方向に対して直交するように形成されていてもよい。また、トーンホール周壁５５の頂部に配置される端部をトーンホール２３の外径と略同一に形成して見栄えを向上してもよい。
【００４９】
上記の第２乃至４実施形態などでは、正面中心線Ｌｆに近接するトーンホール２３を、二番管１５の軸線Ｌｓ周りの周方向に、正面中心線Ｌｆから離間するように位置をずらすことも好ましい。
【００５０】
［第５実施形態］
この第５実施形態は、水案内手段が設けられたサクソフォーン１０の例である。ネック１７と二番管１５との接合部位及び二番管１５の内壁面に溝を設けることで水案内手段４０が構成されている。
図９（ａ）はネック１７と二番管１５との接合部位を示し、図９（ｂ）は二番管１５の内部を展開した状態を示している。
【００５１】
このサクソフォーン１０では、ネック１７の二番管１５との接合部位において、マウスピース２１とは反対側の正面側の約半周部分に、図９（ａ）に示すような段差凹部５９が形成されると共に、二番管１５の正面側の内壁面には段差凹部５９と連続する位置に溝６１が形成されている。
【００５２】
ネック１７の段差凹部５９は、略逆三角形状を呈し、正面中心線Ｌｆの部位では下端側が解放した溝状に形成されている。段差凹部５９の上端側は、ネック本体１７ａと接続端部１７ｂとの間に周方向に形成されている溝状の接合部１７ｃの下側に広く設けられている。
段差凹部５９の深さは特に限定されないが、少なくともネック１７と二番管１５とを接続した状態で十分な使用強度が確保できる深さであるのが好ましい。また使用時のサクソフォーンの配置状態で、マウスピース２１及びネック１７の上部側で生じた水分が流入した際、段差凹部５９の下部側の段差により水分が案内されて、下端側の溝状の部位に案内可能な程度の深さであるのが好ましい。
【００５３】
さらに、段差凹部５９の下部側における周方向の勾配は、特に限定されないが、使用時のサクソフォーンの配置状態で、マウスピース２１及びネック１７の上部側で生じた水分が段差凹部５９内に流入した際、下部側の勾配に沿って流下可能な傾斜とする。
【００５４】
一方、二番管１５の正面側内壁面には、一部のトーンホール２３の配設位置を調整することにより、二番管１５の軸Ｌｓに沿って長手方向に延びる正面領域６５が設けられている。この正面領域６５は演奏時に二番管１５の正面側に配置される内壁面に区画できる仮想的な領域であり、両側縁は二番管１５の軸Ｌｓに沿う直線となっていてもよい。
多くのサクソフォーン１０では、highＦ、highＥ♭及びhighＤのトーンホール２３ｂ，２３ｃ，２３ｄやＢ，Ｇ及びＧ♯のトーンホール２３ｅ，２３ｆ，２３ｇの縁部が互いに上下方向に重なるように配置されている。このようなサクソフォーン１０では、本実施形態のような正面領域は存在しない。ところが一部、例えばhighＦ及びhighＥ♭のトーンホール２３ｂ，２３ｃの一方又は双方を二番管１５の周方向にずらして配置することで、音質に悪影響を与えることを防止し、このような仮想領域６５を形成することが可能である。
この実施形態では、highＦ、highＥ♭及びhighＤのトーンホール２３ｂ，２３ｃ，２３ｄとＢ，Ｇ及びＧ♯のトーンホール２３ｅ，２３ｆ，２３ｇとの間に何れのトーンホール２３とも接触しないように正面領域６５が設けられている。この正面領域６５内には正面中心線Ｌｆも配置されている。
【００５５】
二番管１５の内部の溝６１は、この正面領域６５に設けられている。この溝６１は、段差凹部５９の下端の幅と略同一の幅を有し、正面中心線Ｌｆに沿って一番管１３側へ向けて延びている。溝６１のネック１７の段差凹部５９との隣接位置が略逆三角形状に形成されることで、段差凹部５９から流下する水分を確実に受けられるようにしている。例えば、ネック１７と二番管１５との周方向の相対向きが使用者による個人差があったとしても、段差凹部５９を溝６１の略逆三角形状の範囲内に配置することが可能である。
この溝６１の深さは、特に限定されないが、少なくともネック１７と二番管１５の十分な使用強度が確保できると共に、使用時のサクソフォーンの配置状態で、マウスピース２１及びネック１７の上部側で生成された水が流入した際、水が案内されて流下し易い深さであるのが好ましい。
【００５６】
溝６１の位置は、二番管１５のhighＦ♯、highＦ、highＥ♭及びhighＤ及び他の左手で開閉操作されるトーンホール２３の全てと離間する位置であることが必要である。溝６１の長さは、少なくともＢのトーンホール２３ｅより下側、好ましくはＧのトーンホール２３ｆより下側、より好ましくはＧ♯のトーンホール２３ｇより下側となるようにする。更に、二番管１５の全長にわたり溝６１を設けてもよい。
この実施形態では、溝６１を二番管１５の軸線Ｌｓに沿って直線的に形成するため、溝６１に近接したり重なるトーンホール２３を溝６１から離間するように周方向にずらして設けている。ここでは、highＦ♯のトーンホール２３ａ及びhighＦのトーンホール２３ｂの一方又は双方を溝６１から離間するように周方向に移動させている。これにより少なくとも溝６１が正面領域６５内に配置され、溝６１の幅が正面領域６５の幅以下となっている。なお、ネック１７側で正面領域６５より拡幅している。
【００５７】
このような段差凹部５９及び溝６１の内表面は親水性処理面であってもよい。その場合、段差凹部５９の表面の親水性はネック１７の内壁面より高くしたり、溝６１の内表面は親水性処理面の親水性は二番管１５の内壁面より高くしたりすることができる。
【００５８】
このようなサクソフォーン１０によれば、マウスピース２１及びネック１７内で唾液や息が凝縮してネック１７内を流下した水分は、使用時の配置状態によりネック１７の前方側に流下する。すると段差凹部５９に流入し、段差凹部５９内で案内されて溝６１内に流入して、溝６１内で一番管１３側に案内されて流下する。また、二番管１５の上部側などで生じて溝６１内に流入した水分も溝６１内で一番管１３側に案内されて流下する。
【００５９】
そのため、これらの水分が二番管１５のネック１７側のhighＦ♯、highＦ、highＥ♭及びhighＤのトーンホール２３ａ，２３ｂ，２３ｃ，２３ｄ、更には二番管１５の左手により開閉操作される他のトーンホール２３に到達し難くなる。それ故各トーンホール２３から漏出する水分の量を抑制することが可能である。しかも、サクソフォーン１０の音に対する悪影響も防止できる。
【００６０】
上記実施形態では、溝６１として直線形状のものについて説明したが、特に限定されるものではなく、水分を案内可能な範囲で溝６１を曲線形状に形成してもよい。
また、上記実施形態では、水案内手段が段差凹部５９及び溝６１からなる例について説明したが、他の実施形態に係る水案内手段４０と共に用いることも可能であり、直線又は曲線形状の突起を用いてもよい。その場合、ネック１７や二番管１５の内側に向けて突出する突起を複数本並べて設けることで、複数の突起間の間を段差凹部又は溝として使用することもできる。
上記実施形態では、一部又は全部のトーンホール２３の配置位置を調整することで、溝６１や正面領域６５を設けた例について説明したが、トーンホール２３の配設位置を調整しなくてもよい。正面中心線Ｌｆ近傍のトーンホール２３が正面領域６５や溝６１と重なる位置に配置される場合、例えば実施形態３乃至５のような各トーンホール２３の周壁５５を設けることができる。これにより正面領域６５や溝６１と重なる位置のトーンホール２３であっても、各トーンホール２３から漏出する水分の量を抑制することができる。
【００６１】
［第６実施形態］
この第６実施形態のサクソフォーン１０は、マウスピース２１と一番管１３との間に、マウスピース２１から吹き込まれた水分が、管内部でトーンホール２３の開口とは異なる位置を流下するように案内する水案内手段４０を備えている。
【００６２】
水案内手段４０は、図１０（ａ）（ｂ）に示すように、二番管１５の正面側内壁面に二番管１５の長手方向に延びるように設けられた筋状突部６７を有している。この実施形態では、水案内手段４０としてネック１７の二番管１５への接続部位、具体的には二番管１５の端部に嵌合する部位に案内用段差７５及び流下端部７７からなる案内形状をさらに有している。
【００６３】
まず筋状突部６７は、図１０及び図１１に示すように、二番管１５の内壁面から内側に突出して長手方向に延びる突部である。この筋状突部６７は長手方向に曲線形状であってもよいが、水分を案内し易くするために直線形状に設けられているのが好ましい。筋状突部６７の突出量は特に限定されるものではなく、二番管１５の内壁面から内側への最大突出量が音質等への悪影響を生じず、内壁面上で周方向に流れる水分をせき止め得る高さに設定することができる。
【００６４】
筋状突部６７は、図１３に示すように二番管１５の管壁を変形させるなどにより管壁を内側に突出させていてもよいが、加工が容易であるため、図１１に示すように管壁とは別部材からなる長尺部材を二番管１５の内壁面上に固定するのが好適である。
この長尺部材としては、二番管１５の内壁に固定可能なものであれば使用可能である。長尺部材は、例えば樹脂、金属、セラミック等からなる線状部材、棒状体、板状体などであってもよい。この実施形態では磁着可能な金属の棒状体を用いている。
【００６５】
この筋状突部６７は、図１０及び図１１に示すように、二番管１５の正面側内壁面において二番管１５の軸線Ｌｓに沿って延びる正面領域６５に設けられている。正面領域６５は上述の通り、正面中心線Ｌｆを含む領域である。
この実施形態では、一部又は全てのトーンホール２３の位置を調整することで、正面領域６５の一方側にhighＦ、highＥ♭及びhighＤのトーンホール２３ｂ，２３ｃ，２３ｄが配置され、他方側にＢ，Ｇ及びＧ♯のトーンホール２３ｅ，２３ｆ，２３ｇが配置されている。そのため筋状突部６７はこれらのトーンホール２３の間に、これらのトーンホール２３と接触することなく配置されている。
【００６６】
このようにトーンホール２３の位置を調整する場合、例えばhighＦのトーンホール２３ｂ又はhighＥ♭のトーンホール２３ｃと、highＤのトーンホール２３ｄとの上下に重なる量を多くすることで、比較的容易に正面領域６５の幅を確保することができる。その場合、指貝２７を操作するレバーを湾曲或いは屈曲させることで開閉操作の操作性を悪化させることなく、容易に配置を調整することができる。
【００６７】
筋状突部６７の上下方向の配置位置は、上端が少なくともＢのトーンホール２３ｅより上側、好ましくはhighＥ♭のトーンホール２３ｃより上側、より好ましくはhighＦのトーンホール２３ｂより上側のネック１７近傍とする。一方、筋状突部６７の下端は、少なくともＢのトーンホール２３ｅより下側、好ましくはＧのトーンホール２３ｆより下側、より好ましくはＧ♯のトーンホール２３ｇより下側とする。
このような位置であれば、後述するように筋状突部６７よりhighＤのトーンホール２３ｄ側にネック１７から流下した水を、Ｂのトーンホール２３ｅ側に移動させずに確実に流下させることができる。特に、演奏中にサクソフォーン１０を揺らした場合であっても、流下される水の周方向への移動を、筋状突部６７によりせき止めることが可能である。
【００６８】
筋状突部６７として線状部材又は棒状体を用いる場合、線状部材又は棒状体の二番管１５への固定方法は、接着、溶着、ろう付け、溶接、磁着、ネジ止め、カシメ止め等、用いる部材に応じて適宜選択できる。
この実施形態では、筋状突部６７として磁着可能な金属の棒状体を用いているため、図１２に示すように、二番管１５に設けられた磁石６８と、ネジ止め又はカシメ止め用のビス６９とにより固定されている。棒状体の下端側は、折り曲げ又は湾曲させた状態で二番管１５内部の下部側に配置され、端部を二番管１５の外側に貫通させた状態でビス６９により管壁にネジ止め又はカシメ止めしている。このように下端側が折り曲げ又は湾曲されていると、二番管１５内部を布等で払拭する際、布等が引掛かり難くて好適である。一方、棒状体の上端側は二番管１５内部の上部側に配置され、二番管１５の外側に配置された磁石６８により管壁に磁着されている。
【００６９】
次に、ネック１７の二番管１５の端部に嵌合する部位に設けられた案内用段差７５及び流下端部７７は、ネック１７の内面で生じた水滴が重力により流下する際、それらの形状の端部に伝わって流下し得る形状となっている。
この実施形態では、図１０に示すように、ネック１７の下端に湾曲形状の切り欠き７９を設けることで形成されている。ここでは、ネック１７の二番管１５に嵌合される端部が切り欠かれることで、嵌合される二番管１５の内周面とネック１７の下端側の内周面との間に径方向に段差形状が形成されている。この案内用段差７５により、ネック１７の内壁面を流下して案内用段差７５に到達した水滴が案内用段差７５の縁を伝って流下することができるように、周方向に傾斜を有している。
なお、切り欠き７９の湾曲形状は、使用時に二番管１５の上端側が前方側にやや傾斜した状態で配置された際、湾曲形状により水分が案内可能な形状であってネック１７の接続部分の剛性や気密性を確保できる範囲で形成すればよい。この実施形態では、例えばネック１７の環状の接合部分の１／５以上の範囲、好ましくは１／３以上の範囲に切り欠き７９を設ける。
【００７０】
流下端部７７はこの案内用段差７５の最下端部からなり、二番管１５の軸線Ｌｓに対して直交する方向に配置されるネック１７の環状の下端と切り欠き７９との境界部分により構成されている。
この実施形態の場合、切り欠き７９により案内用段差７５に２つの端部が設けられているが、使用時に前方側となる端部が流下端部７７となっている。この流下端部７７の位置は、筋状突部６７よりhighＤのトーンホール２３ｄ側の側部であって筋状突部６７の近接位置とするのが好適である。特に正面領域６７内又は正面領域６５近接位置としてもよい。ネック１７からこの位置に水が流下すれば、筋状突部６７に水が付着して流下することで、highＦ、highＥ♭及びhighＤのトーンホール２３ｂ，２３ｃ，２３ｄ及びＢ，Ｇ及びＧ♯のトーンホール２３ｅ，２３ｆ，２３ｇに水分を接触させずに流下させることができる。
【００７１】
この実施形態のサクソフォーン１０によれば、ネック１７の内壁面に付着した水分がネック１９の内壁面上を流下して案内用段差７５に到達すると、案内用段差７５を伝って流下端部７７まで案内され、流下端部７７から流下する。
すると流下端部７７が所定位置となっているため、水が正面中心線ＬｆよりhighＤのトーンホール２３ｄ側において二番管１５に流下する。二番管１７の正面領域６７又はその近傍において、水分が二番管１７の内壁面に流下して付着し、正面領域６７を一番管１３側へ流下する。好ましくは二番管１５に流下した水が、筋状突部６７のhighＤのトーンホール２３ｄ側の縁に付着し、筋状突起６７に案内されて一番管１３側へ流下する。
そのため、流下される水は二番管１５のネック１７側のhighＦ及びhighＥ♭のトーンホール２３ｂ，２３ｃ、更には二番管１５の左手トーンホール２３に到達することなく一番管１３まで流下できる。しかも筋状突部６７の一方の側を流下する水が他方の側に移動することを十分に阻止できる。例えばサクソフォーン１０が揺らされたり傾向きが変化するなどにより、水が二番管１５の内壁面上で蛇行して流下する場合がある。このような場合、１番管１３側へ流下する水が二番管１５の周方向に移動するが、筋状突部６７が堰となるため、筋状突起６７よりもhighＦ♯やＢのトーンホール２３ａ，２３ｅ側へ移動することがない。
それ故、各トーンホール２３から漏出する水の量を十分に少なく抑えたり、無くすことが可能である。しかも、このような構造であれば、サクソフォーン１０の音に対する悪影響も防止できる。
【００７２】
上記実施形態は本発明の範囲内において適宜変更可能である。上記実施形態では、水案内手段４０が筋状突部６７とネック１７の流下端部７７とを備えているが、他の実施形態に係る水案内手段４０と共に用いることも可能である。
上記では、二番管１５に設けた筋状突部６７とネック１７に設けた案内用段差７５及び流下端部７７からなる案内形状とにより水案内手段４０が構成されている。しかし、二番管１５の筋状突部６７とネック１７の案内形状とのうちの一方より水案内手段を構成していてもよい。その場合であっても、他の実施形態に係る水案内手段４０と組み合わせることも可能である。
【００７３】
上記では案内用段差７５をネック１７の下端に一つの湾曲した切り欠きにより形成したが、案内用段差７５及び流下端部７７の形状は何ら限定されない。例えば図１４に示すように、流下端部７７の両側に上記切り欠き７９と同一の形状又は異なる形状の案内用段差７５を一対又は複数設けてもよい。この場合、演奏時に流下端部７７がネック１７の最も低い位置に配置されるため、ネック１７の内壁面に付着した水分をより多く、確実に流下端部７７に案内することができる。
さらに図１５に示すように、接合強度が確保できる範囲で、一つの流下端部７７が最下端となるようにネック１７の下端の形状全体を斜めに傾斜させて形成してもよい。
【００７４】
上記実施形態では、筋状突部６７の上端をネック１７近傍に配置したが、図１５に示すように、ネック１７の下端から離間した位置、例えばhighＦのトーンホール２３ｂより下方側の位置に、筋状突部６７の上端を配置してもよい。その場合、highＦのトーンホール２３ｂに実施形態２乃至４で示すような突出壁５７を設けることができる。これにより流下する水がhighＦのトーンホール２３ｂ付近へ到達しても、このトーンホール２３ｂから流出することを防止することが可能である。
【００７５】
上記実施形態では、トーンホール２３の位置を調整することで、正面領域６５の一方側にhighＦ、highＥ♭及びhighＤのトーンホール２３ｂ，２３ｃ，２３ｄが配置され、且つ他方側にＢ，Ｇ及びＧ♯のトーンホール２３ｅ，２３ｆ，２３ｇが配置された例について説明した。しかしトーンホール２３の配設位置を調整しなくても、本実施形態は実現可能である。例えば図１５に示すように、正面中心線Ｌｆ近傍のトーンホール２３が正面領域６５や筋状突部６７と重なる位置に配置される場合に、実施形態３乃至５のような各トーンホール２３の周壁５５や突出壁５７を設けることができる。そのため正面領域６５や溝６１と重なる位置のトーンホール２３であっても、各トーンホール２３から漏出する水分の量を抑制することができる。
【００７６】
上記では筋状突部６７の棒状体を磁石６８及びビス６９により固定したが、一個又は複数個の磁石６８だけで固定してもよい。このようにすれば、棒状体の着脱や位置調整が自在である。
【００７７】
上記ではネック１７の内壁面に生じた水滴を二番管１５の所定位置に案内する手段として、ネック１７の下端に切り欠き７９を形成して案内用段差７５及び流下端部７７を設けているが、この手段は他の構成であってもよい。例えばネック１７の接合部１７ｃとは別部材を下端側の内壁面に接触して配置し、その下端の形状を、周方向に傾斜させると共に一部を下方に突出させることが可能である。またネック１７の内表面に集液可能な形状で線状部材等を、第１実施形態における吊下部材４９の分岐部分のように配置してもよく、第５実施形態における案内凹部５９のような形状を設けてもよい。さらに案内用段差７５の縁に内側に突出する鍔を設けたり、流下端部７７に下方に突出するように棒状体等の突起を装着してもよい。
以上説明したような第１〜第７実施形態では、サクスフォーンに本発明を適用した例であるが、他の管楽器にも適用することも可能である。
【符号の説明】
【００７８】
１０  サクソフォーン
１１  ベル
１３  一番管
１５  二番管
１７  ネック
１９  リード
２１  マウスピース
２３、２３ａ〜２３ｇ  トーンホール
２５  レバー
２７  指貝
２９  タンポ
３０  水漏出防止具
４０  水案内手段
４３  突出部分
４７  固定部
４９  吊下部材
５１  線状部材
５３  錘
５５  トーンホール周壁
５７  突出壁
５９  段差凹部
６１  溝
６５  正面領域
６７  筋状突部
７５  案内用段差
７７  流下端部
７９  切り欠き
【図１】
0005619166.tif 000002
【図２】
0005619166.tif 000003
【図３】
0005619166.tif 000004
【図４】
0005619166.tif 000005
【図５】
0005619166.tif 000006
【図６】
0005619166.tif 000007
【図７】
0005619166.tif 000008
【図８】
0005619166.tif 000009
【図９】
0005619166.tif 000010
【図１０】
0005619166.tif 000011
【図１１】
0005619166.tif 000012
【図１２】
0005619166.tif 000013
【図１３】
0005619166.tif 000014
【図１４】
0005619166.tif 000015
【図１５】
0005619166.tif 000016